(57)【特許請求の範囲】
【請求項１】
少なくとも２ｃｈステレオ信号のモニタと複数ｃｈサラウンド信号のモニタを行う機能を有するミキシングコンソールであって、
モニタする対象の信号を選択するソースセレクト操作子と、
モニタ対象として選択された信号を出力するモニタ出力端子であって、２ｃｈステレオ信号を出力可能な２ｃｈの出力端子のペアを複数ペア設けたモニタ出力端子と、
前記出力端子のペアを選択するスピーカセレクト操作子と、
前記ソースセレクト操作子でモニタ対象として選択された信号が２ｃｈステレオ信号であるときは、前記スピーカセレクト操作子による前記出力端子のペアの選択を有効とし、前記モニタ対象の２ｃｈステレオ信号を、前記スピーカセレクト操作子で選択された出力端子のペアに割り当てて出力し、前記ソースセレクト操作子でモニタ対象として選択された信号が複数ｃｈサラウンド信号であるときは、前記スピーカセレクト操作子による前記出力端子のペアの選択状態にかかわらず、該複数ｃｈサラウンド信号の個々の各ｃｈを、前記モニタ出力端子の複数ペアの各出力端子に割り当てて出力する割り当て手段と、
前記ソースセレクト操作子でモニタ対象として選択された信号が複数ｃｈサラウンド信号である場合に、前記スピーカセレクト操作子が操作されたとき、該操作に応じて前記複数ｃｈサラウンド信号の各ｃｈのミュート設定を行い、ミュートされたｃｈの信号が対応する前記出力端子から出力しないように制御するミュート制御手段と
を備え、
前記スピーカセレクト操作子は、ペアＡ，Ｂ，…の何れかを選択するためのスイッチＡ，Ｂ，…からなり、
前記ミュート制御手段は、前記ソースセレクト操作子でモニタ対象として選択された信号が複数ｃｈサラウンド信号である場合に、前記スピーカセレクト操作子のうちスイッチｘ（ｘはＡ，Ｂ，…の何れか）が操作されたとき、その操作毎に、（１）該スイッチｘに対応するペアｘの左右の両ｃｈから出力、（２）ペアｘの左ｃｈからのみ出力、（３）ペアｘの右ｃｈからのみ出力、（４）ペアｘの左右の両ｃｈともミュート、の何れかに順次切り替えていく（ただし（１）〜（４）を切り替えていく順番は任意）ものである
ことを特徴とするミキシングコンソール。
【請求項２】
請求項１に記載のミキシングコンソールにおいて、
ダウンミックス操作子と、
前記ソースセレクト操作子でモニタ対象として選択された信号が複数ｃｈサラウンド信号である場合に、前記ダウンミックス操作子が操作されたとき、前記複数ｃｈサラウンド信号をダウンミックスして生成した２ｃｈのダウンミックス信号を、前記モニタ出力端子の所定のペアの出力端子に出力する手段と
を、さらに備えることを特徴とするミキシングコンソール。
【発明の詳細な説明】
【技術分野】
【０００１】
この発明は、ディジタルミキサのミキシングコンソールに関し、特に各種のオーディオ信号をモニタするモニタ機能におけるソースの選択及びスピーカの選択を操作性良く便利に行うことができるようにする技術に関する。
【背景技術】
【０００２】
従来より、マイクなどの各種の入力源からオーディオ信号を入力し、音量レベルや周波数特性などの調整処理を施し、適宜、ミキシングして出力するミキシングコンソールが知られている（特許文献１及び非特許文献１参照）。ミキシングコンソールは、選択した信号を、選択したモニタ出力端子から出力して、スピーカなどでモニタする機能を備える。具体的には、モニタする信号を選択するソースセレクトを行うための専用のボタンと、モニタ信号を出力するモニタ出力端子を選択する（要するにモニタ音を出力するスピーカを選択する）スピーカセレクトを行うための専用のボタンが設けられているものが知られている。また、専用のボタンの代わりに、所定の画面を表示し、その画面上に表示されたボタンをポインティングデバイスを用いて操作するものもある。さらに、特許文献１や非特許文献１のミキサは、多チャンネルのサラウンド信号をモニタする機能も備えている。
【特許文献１】特開２００３−１３４５９９号公報
【非特許文献１】Digital Production Console DM2000 Ver.2 取扱説明書、第１３章「モニター、トークバック」、ヤマハ株式会社、２００３年発行
【発明の開示】
【発明が解決しようとする課題】
【０００３】
上記従来文献に記載のミキサにおけるサラウンド信号のモニタ機能は、何れも、モニタする対象のソースとモニタ出力端子とを選択して、所望のサラウンド信号を所望のスピーカからモニタするものである。しかし、サラウンドの各出力ｃｈのミュート設定などは、所定の画面を表示しその画面上で行わなければならない。従って、サラウンドの各出力ｃｈの信号を個々にモニタしたり、任意の組み合わせでモニタする際には、所望のモニタができるように前記画面上でミュートの設定を行わなければならず、操作が煩雑である。サラウンドの各出力ｃｈの信号を個々にモニタするための新たな操作子を設ければ良いことは当然であるが、価格を抑えたい、あるいは外部パネル上に操作子を増やすスペースが無い、などの理由から、簡単に操作子を増やすことができない。
【０００４】
また、上記従来文献のミキサでは、多ｃｈのサラウンド信号を最終的にステレオ２ｃｈの信号にダウンミックスした場合にどのように聞こえるかをモニタする機能を備えていなかった。
【０００５】
本発明は、サラウンド信号のモニタ機能を有するミキシングコンソールにおいて、操作子を増やすこと無く、サラウンドの各ｃｈごとの信号のモニタを容易に行うことができるようにすることを目的とする。また、多ｃｈのサラウンド信号をステレオ２ｃｈの信号にダウンミックスした信号についてもモニタすることができるようにすることを目的とする。
【課題を解決するための手段】
【０００６】
上記目的を達成するため、本発明は、通常は、ソースセレクト操作子で選択された２ｃｈステレオ信号をスピーカセレクト操作子で選択された出力端子のペアに出力するものとする。すなわち、サラウンド信号以外の信号をモニタする場合は、スピーカセレクト操作子の操作を有効とする。一方、ソースセレクト操作子でサラウンド信号が選択された場合は、スピーカセレクト操作子による選択状態にかかわらず、該サラウンド信号の個々の各ｃｈを、モニタ出力端子の複数ペアの各出力端子に割り当てて出力する。また、この状態でスピーカセレクト操作子が操作されたとき、該操作に応じて前記複数ｃｈサラウンド信号の各ｃｈのミュート設定を行い、ミュートされたｃｈの信号が対応する前記出力端子から出力しないように制御する。具体的には、スピーカセレクト操作子を、ペアＡ，Ｂ，…の何れかを選択するためのスイッチＡ，Ｂ，…とし、そのスイッチｘ（ｘはＡ，Ｂ，…の何れか）が操作されたとき、その操作毎に、（１）該スイッチｘに対応するペアｘの左右の両ｃｈから出力、（２）ペアｘの左ｃｈからのみ出力、（３）ペアｘの右ｃｈからのみ出力、（４）ペアｘの左右の両ｃｈともミュート、の何れかに順次切り替えていく（ただし（１）〜（４）を切り替えていく順番は任意）ようにすればよい。
【０００７】
さらに、ダウンミックス操作子を備え、ソースセレクト操作子でモニタ対象として選択された信号が複数ｃｈサラウンド信号である場合に、前記ダウンミックス操作子が操作されたとき、前記複数ｃｈサラウンド信号をダウンミックスして生成した２ｃｈのダウンミックス信号を、モニタ出力端子の所定のペアの出力端子に出力するようにしてもよい。
【発明の効果】
【０００８】
本発明によれば、ミキシングコンソールにおいて、ソースセレクト操作子を操作するだけで、２ｃｈステレオ信号とサラウンド信号とを選択してモニタすることができ、サラウンド信号のモニタを容易に行うことができる。サラウンド信号が選択された場合は、スピーカセレクト操作子の操作により、該サラウンド信号の各ｃｈのミュート設定を行うことができるので、サラウンド信号の各ｃｈごとの信号のモニタも容易である。また、通常はモニタ出力先を選択するスピーカセレクト操作子の機能を、サラウンド信号のモニタを行う場合にはミュート設定の操作子としての機能に切り替えるので、操作子を増やすこと無く、サラウンド信号の各ｃｈごとの信号のモニタを行うことができる。さらに、多ｃｈのサラウンド信号をステレオ２ｃｈの信号にダウンミックスした信号についてもモニタすることができる。
【発明を実施するための最良の形態】
【０００９】
以下、図面を用いてこの発明の実施の形態を説明する。
【００１０】
図１は、この発明に係るミキシングコンソールを適用したミキサ１２０とパーソナルコンピュータ（以下、ＰＣと呼ぶ）１００とを音楽ＬＡＮ１１０で接続した全体構成を示す。ＰＣ１００では、ディジタルオーディオワークステーションソフトウエア１０１が実行されている。該ソフトウエア１０１により、グラフィカルユーザインタフェース（ＧＵＩ）１０２、ＭＩＤＩトラック＆ＭＩＤＩミキサ制御部１０３、リモート制御部１０４、及びオーディオトラック＆オーディオミキサ制御部１０５などを実現する。ＧＵＩ１０２は、ＰＣ１００のディスプレイに種々の画面を表示し、ユーザからの各種の入力を受け付ける処理などを行うユーザインタフェース用のプログラムである。ＭＩＤＩトラック＆ＭＩＤＩミキサ制御部１０３は、ＭＩＤＩデータについての録音再生その他の機能を実現する。リモート制御部１０４は、音楽ＬＡＮ１１０を介して接続されたミキサ１２０のリモート制御を行う。オーディオトラック＆オーディオミキサ制御部１０５は、オーディオデータについての録音再生その他の制御機能を提供する。これら各制御部１０３〜１０５は、オペレーティングシステム（ＯＳ）のアプリケーションインタフェース（ＡＰＩ）１０６、各種音楽Ｉ／Ｏドライバ１０７、及び各種音楽Ｉ／Ｏ（音楽ＬＡＮ  Ｉ／Ｏを含む）インタフェース１０８を経由して、音楽ＬＡＮ１１０に接続されているミキサ１２０との間でＭＩＤＩデータやＷＡＶＥ（オーディオ）データのやり取りを行うことができる。なお、以上の構成により、ＰＣ１００は音楽製作の各種の機能（例えば、ハードディスクレコーディング機能、ＭＩＤＩデータやオーディオデータの作成編集機能、ミキシング機能、シーケンサー機能など）を実現するいわゆるディジタルオーディオワークステーション（ＤＡＷ）として動作するので、以下ではＤＡＷ１００と呼ぶものとする。
【００１１】
音楽ＬＡＮ１１０は、リアルタイムでＭＩＤＩデータやＷＡＶＥデータの伝送を行うことができるＬＡＮである。音楽ＬＡＮ１１０は、複数ｃｈの伝送路を持つ。本実施形態では１６本の伝送路（伝送ｃｈ）を持つものとし、各伝送ｃｈを出力ポートＰ１〜Ｐ１６と呼ぶ。
【００１２】
ネットワークミキサ１２０は、アナログ／ディジタル変換器（ＡＤＣ）１２１、オーディオミキサ１２２、ディジタルアナログ変換器（ＤＡＣ）１２３、制御マイコン１２４、ユーザインタフェース（ＵＩ）１２５、ＭＩＤＩ  Ｉ／Ｏ１２６、及び音楽ＬＡＮ  Ｉ／Ｏ１２７を備える。制御マイコン１２４は、このミキサ１２０の全体の動作を制御する処理装置である。ＵＩ１２５は、外部パネル上に設けられた各種の操作子やＬＥＤなどに相当する。オーディオミキサ１２２は、制御マイコン１２４からの指示に基づいて、ＡＤＣ１２１又は音楽ＬＡＮ  Ｉ／Ｏ１２７から入力した音響信号（ディジタルオーディオデータ）のミキシングを行う。ミキシング結果は、ＤＡＣ１２３に出力したり、音楽ＬＡＮ  Ｉ／Ｏ１２７経由でＤＡＷ１００に出力することができる。ＭＩＤＩ  Ｉ／Ｏ１２６は、外部のＭＩＤＩ機器との間でＭＩＤＩデータを送受信するインタフェースである。該ＭＩＤＩ  Ｉ／Ｏ１２６から入力したＭＩＤＩデータは音楽ＬＡＮ  Ｉ／Ｏ１２７経由でＤＡＷ１００に出力したり、ＤＡＷ１００から音楽ＬＡＮ  Ｉ／Ｏ１２７経由で入力したＭＩＤＩデータを外部のＭＩＤＩ機器に送信することができる。
【００１３】
図２（ａ）は、ＤＡＷ１００で実現しているオーディオトラックとオーディオミキサの機能構成の詳細図を示す。ＡＤＣなどの機能を備える音楽Ｉ／Ｏ２０１から入力された音響信号は、入力パッチ２０２に入力する。入力パッチ２０２は、入力された音響信号を任意の録音／再生用トラック２０３や入力チャンネル（ｃｈ）２０４に割り当てる処理を行う。また、入力パッチ２０２は、一定のミキシング機能を備えている。
【００１４】
録音／再生用トラック２０３は、録音ｃｈ２３１、オーディオトラック２３２、及び再生ｃｈ２３３を備える。録音ｃｈ２３１は、入力パッチ２０２から入力した音響信号に対して各種調整処理を施しオーディオトラック２３２に録音する録音処理を行う。再生ｃｈ２３３は、オーディオトラック２３２に録音された音響信号を読み出し各種調整処理ののち再生出力する再生処理を行う。入力ｃｈ２０４は、入力パッチ２０２から入力した音響信号に対し各種調整処理（音量レベル調整、イコライザ調整、効果付与など）を施す。録音／再生用トラック２０３と入力ｃｈ２０４は、それぞれ複数設けられている。再生ｃｈ２３３や入力ｃｈ２０４の出力は、ミキシングバス２０５に出力される。
【００１５】
ミキシングバス２０５として、ステレオバスＳＴ（Ｌ，Ｒ）、５．１ｃｈバス５．１（Ｌ，Ｒ，Ｃ，ＬＦＥ，Ｌｓ，Ｒｓ）、オグジュアリーバスＡＵＸ（Ｌ，Ｒ）、及びミキシングｃｈバスｃｈ（１−１２）が設けられている。バスＳＴ（Ｌ，Ｒ）は、ステレオの左右の信号用の２本のバスからなる。バス５．１（Ｌ，Ｒ，Ｃ，ＬＦＥ，Ｌｓ，Ｒｓ）は、５．１ｃｈサラウンドの前側左（Ｌ）、前側右（Ｒ）、センタ（Ｃ）、ウーハ（ＬＦＥ）、後側左（Ｌｓ）、及び後側右（Ｒｓ）の信号用の６本のバスからなる。バスＡＵＸ（Ｌ，Ｒ）は、ＡＵＸ信号用の２本のバスからなる。バスｃｈ（１−１２）は、１２ｃｈあるミキシングｃｈの信号用の１２本のバスからなる。
【００１６】
任意の再生ｃｈ２３３及び任意の入力ｃｈ２０４から、上述の任意のバスに指定した任意のレベルで音響信号を出力することができ、各バスでは入力した音響信号をミキシングする。ミキシング結果は、入力パッチ２０２側に戻して、録音ｃｈ２３１や入力ｃｈ２０４への入力とすることができる。また、ミキシング結果は、各バス対応に設けられた出力ｃｈ２０６による出力側調整処理を施した後、出力パッチ２０７（ミキシング機能付き）に出力される。出力パッチ２０７は、各出力ｃｈ２０６から出力される音響信号を、音楽Ｉ／Ｏ（ＤＡＣ）２０８や各種音楽Ｉ／Ｏ１０８の任意のｃｈに割り当てて、出力することができる。各種音楽Ｉ／Ｏ１０８は、音楽ＬＡＮ１１０へのインタフェースを含む。音楽ＬＡＮ１１０から入力したオーディオデータを入力パッチ２０２に入力することもできる。
【００１７】
出力パッチ２０７から音楽Ｉ／Ｏ１０８の出力ポートに出力された音響信号を、音楽ＬＡＮ１１０経由でネットワークミキサ１２０に入力させ、逆にネットワークミキサ１２０から出力される音響信号を、音楽ＬＡＮ１１０及び音楽Ｉ／Ｏ１０８経由で入力パッチ２０２に入力させることができる。図２（ｂ）は、ＤＡＷ１００の出力を音楽ＬＡＮ１１０のどの出力ポート（伝送ｃｈ）に出力するかを示す割り当て表である。ＤＡＷ１００から音楽ＬＡＮ１１０への出力は、ＤＡＷ１００のモードに応じて、ＤＡＷ１００のミキシングバス２０５の各バスと音楽ＬＡＮ１１０の出力ポートとが固定的に対応付けられている。ＤＡＷ１００のモードとしては、通常モードとサラウンドモードがある。通常モードはステレオＬＲ（２ｃｈ）の音響信号を出力することを基本とするモードである。通常モードのときは、バスＳＴ（Ｌ，Ｒ）が順に出力ポートＰ１，Ｐ２に、ｃｈ（１−１２）が順にＰ３−Ｐ１４に、ＡＵＸ（Ｌ，Ｒ）が順にＰ１５，Ｐ１６に、固定で割り当てられて信号送出される。サラウンドモードは５．１ｃｈサラウンドの音響信号を出力することを基本とするモードである。サラウンドモードのときは、６本の５．１ｃｈバスのうち、前側左右の信号のバス５．１（Ｌ，Ｒ）が順にＰ１，Ｐ２に、センタとウーハの信号のバス５．１（Ｃ，ＬＦＥ）が順にＰ３，Ｐ４に、後側左右の信号のバス５．１（Ｌｓ，Ｒｓ）が順にＰ５，Ｐ６に、固定で割り当てられて信号送出される。。なお、サラウンドモードでも、ＡＵＸ（Ｌ，Ｒ）はＰ１５，Ｐ１６に割り当てられて出力されるものとする。サラウンドモードではＰ７−Ｐ１４は不使用とする。図２（ｂ）の割り当ては、ネットワークミキサ１２０側の設定とは全く無関係であり、ＤＡＷ１００から音楽ＬＡＮ１１０に各種の信号を出力するときにはモードに応じてこの出力ポートの割り当てを用いる、という意味である。
【００１８】
図３（ａ）は、ネットワークミキサ１２０のオーディオミキサ１２２の詳細な機能構成を示す。ＡＤＣ１２１は、このミキサ１２０が備えている１２ｃｈ分の入力端子からの音響信号の入力を示す。ＡＤＣ１２１から入力した音響信号は、各ｃｈに対応して設けられている調整処理部３０２で各種の調整処理が施される。
【００１９】
１ｃｈ分の調整処理３０２は、入力切り替え部３２１、コンプレッサ・イコライザ３２２、フェーダ３２３、ｃｈオン／オフスイッチ３２４、レベル＆スイッチ部３２５、及び、パン＆スイッチ部３２６を備える。入力切り替え部３２１は、ユーザの指示に応じて、入力ソースとして、ＡＤＣ１２１の指定したｃｈ又は音楽ＬＡＮ１１０の出力ポートＰ３〜Ｐ１４のうち指定した出力ポートからの音響信号（図２（ｂ）に示したＤＡＷ１０１のｃｈ１−１２の信号）の何れかを選択するスイッチである。コンプレッサ・イコライザ３２２は、入力した音響信号に対して自動ゲイン調整や周波数特性の調整処理を行う。コンプレッサ・イコライザ３２２の出力は、レベル調整を行うフェーダ３２３、及び当該ｃｈの信号のオン／オフを行うｃｈオン／オフスイッチ３２４を介して、パン＆スイッチ部３２６に入力する。パン＆スイッチ部３２６は、ステレオバス３０４や録音バス３０３へ信号をステレオで出力する場合の左右定位（パン）の制御や、当該ｃｈから各バスへの信号出力のオン／オフ制御や、当該ｃｈから各バスへの出力信号の個別の送出レベルの制御などを行う。パン＆スイッチ部３２６の出力信号は、録音バスＲＥＣ  Ｌ／Ｒ３０３とステレオバスＳＴ  Ｌ／Ｒ３０４に出力される。また、コンプレッサ・イコライザ３２２の出力は、レベル＆スイッチ部３２５に入力する。レベル＆スイッチ部３２５は、当該ｃｈからＡＵＸ３０５の各バスへの信号出力のオン／オフ制御や、当該ｃｈからＡＵＸ３０５の各バスへの出力信号の個別の送出レベルの制御などを行う。さらに、各ｃｈのコンプレッサ・イコライザ３２２の出力は音楽ＬＡＮ  Ｉ／Ｏ１２７に入力し、後述する割り当てで音楽ＬＡＮ１１０の出力ポートに出力される。
【００２０】
ミキシングバスとして、録音バスＲＥＣ  Ｌ／Ｒ３０３、ステレオバスＳＴ  Ｌ／Ｒ３０４、及びオグジュアリーバスＡＵＸ  Ｌ／Ｒが設けられている。バスＲＥＣ  Ｌ／Ｒ３０３はステレオの左右の録音信号用の２本のバス、バスＳＴ  Ｌ／Ｒはステレオの左右の信号用の２本のバス、バスＡＵＸ  Ｌ／ＲはＡＵＸ信号用の２本のバスからなる。任意のｃｈのパン＆スイッチ部３２６から、上述のＲＥＣ  Ｌ／Ｒ３０３，ＳＴ  Ｌ／Ｒ３０４の任意のバスに、指定した任意のレベルで信号を送出することができる。任意のｃｈのレベル＆スイッチ部３２５から、上述のＡＵＸ  Ｌ／Ｒの任意のバスに、指定した任意のレベルで信号を送出することができる。また、音楽ＬＡＮ  Ｉ／Ｏ１２７を介して音楽ＬＡＮ１１０から入力したＤＡＷ１００からのステレオ信号ＤＡＷ＿ＳＴ（出力ポートＰ１，Ｐ２）が、レベル調整用のフェーダ３１２及び信号オン／オフ用のスイッチ３１３を介してバスＳＴ  Ｌ／Ｒに入力し、同様に、ＤＡＷ１００からのＡＵＸ信号ＤＡＷ＿ＡＵＸ（出力ポートＰ１５，Ｐ１６）がレベル調整用のフェーダ３１４を介してバスＡＵＸ  Ｌ／Ｒに入力する。各バス３０３〜３０５は、入力した信号をミキシングし、ミキシング結果を出力する。
【００２１】
バスＲＥＣ  Ｌ／Ｒ３０３のミキシング結果は、音楽ＬＡＮ  Ｉ／Ｏ１２７を介して、録音用信号ＲＥＣとして音楽ＬＡＮ１１０の割り当てられた出力ポート（後述）に出力される。バスＳＴ  Ｌ／Ｒ３０４のミキシング結果は、オン／オフ用スイッチ３０９及びレベル調整用のフェーダ３１０を経由し、音楽ＬＡＮ  Ｉ／Ｏ１２７を介して、２ｃｈ（ＬＲ）のステレオ信号ＳＴとして音楽ＬＡＮ１１０の割り当てられた出力ポートに出力される。また、不図示であるが、バスＳＴ  Ｌ／Ｒ３０４のミキシング結果は、ＤＡ変換されアナログのステレオ出力端子に出力される。バスＡＵＸ  Ｌ／Ｒ３０５のミキシング結果は、レベル調整用のフェーダ３０７及びＤＡＣ１２３Ａを介してアナログのＡＵＸ出力端子に出力される。３０６は後述する出力パッチ３１５へ入力する信号の分岐である。
【００２２】
図３（ｂ）に、図３（ａ）に示したオーディオミキサ１２２から音楽ＬＡＮ  Ｉ／Ｏ１２７経由で音楽ＬＡＮ１１０の出力ポートに信号送出する際の割り当てを示す。各ｃｈの調整処理３０２から取り出した各ｃｈの信号（ＯＵＴ１−１２）は、順に出力ポートＰ１−Ｐ１２に送出する。バスＳＴ  Ｌ／Ｒ３０４のミキシング結果はＬＲの順に出力ポートＰ１５，Ｐ１６に送出し、バスＲＥＣ  Ｌ／Ｒ３０３のミキシング結果はＬＲの順に出力ポートＰ１３，Ｐ１４に送出する。上記の信号送出の出力ポートへの割り当ては固定的なものである。
【００２３】
一方、音楽ＬＡＮ１１０からの入力については、まずＤＡＷ１００からのステレオ信号ＤＡＷ＿ＳＴは出力ポートＰ１，Ｐ２から取り出してフェーダ３１２及びオン／オフスイッチ３１３経由でバスＳＴ  Ｌ／Ｒ３０４に入力し、ＤＡＷ１００のｃｈ１−１２の各ｃｈ信号は出力ポートＰ３−Ｐ１４から取り出してそれぞれのｃｈに対応する調整処理３０２に入力し、ＤＡＷ１００のＡＵＸ信号ＤＡＷ＿ＡＵＸは出力ポートＰ１５，Ｐ１６から取り出してフェーダ３１４経由でバスＡＵＸ  Ｌ／Ｒ３０５に入力するように構成している。図３（ａ）に示した音楽ＬＡＮ１１０の出力ポートＰ１〜Ｐ１６からの受信信号の結線も固定的なものである。例えば、ＤＡＷ１００は、通常モードのときは出力ポートＰ１，Ｐ２からステレオ信号ＤＡＷ＿ＳＴを出力し、サラウンドモードのときは出力ポートＰ１，Ｐ２から５．１ｃｈサラウンドの前側左右の信号ＤＡＷ５．１（Ｌ，Ｒ）を出力するが、図３（ａ）のミキサ１２２ではＤＡＷ１００のモードにかかわりなく、出力ポートＰ１，Ｐ２から受信した信号を図示した結線で処理していくということである。従って、ミキサ１２２側の操作者は、ＤＡＷ１００のモードに応じて、通常モードのときはスイッチ３１３をオンしてステレオ信号をバスに流し、サラウンドモードのときはスイッチ３１３をオフして流さないようにする、などの操作が必要である。
【００２４】
なお、音楽ＬＡＮ１１０の１つの出力ポートは、ＤＡＷ１００からミキサ１２０へのデータ転送と、ミキサ１２０からＤＡＷへのデータ転送とを、同時にリアルタイムに行う機能を備えたものとする。
【００２５】
次に、図３のオーディオミキサ１２２におけるモニタ機能について説明する。出力パッチ３１５は、モニタ対象の信号を選択するソースセレクト機能と選択した信号をどのモニタ出力端子から出力するかを選択するスピーカセレクト機能とを有する。出力パッチ３１５には、バスＳＴ  Ｌ／Ｒ３０４からスイッチ３０９及びフェーダ３１０を介して出力されたステレオ信号ＳＴ（２ｃｈ）、バスＡＵＸ  Ｌ／Ｒ３０５から出力されたＡＵＸ信号（２ｃｈ）、ＳＯＬＯ信号（２ｃｈ）、２ＴＲ入力信号（２ｃｈ）、ＤＡＷ１００から音楽ＬＡＮ１１０の出力ポートＰ１，Ｐ２を介して受信したＤＡＷステレオ信号ＤＡＷ＿ＳＴ（２ｃｈ）、ＤＡＷ１００から音楽ＬＡＮ１１０の出力ポートＰ１〜Ｐ６を介して受信した５．１ｃｈサラウンド信号ＤＡＷ＿５．１（６ｃｈ）、及び、５．１ｃｈサラウンド信号ＤＡＷ＿５．１をダウンミックス部３１６でダウンミックスした信号ＤＡＷ＿ＤＭ（２ｃｈ）が入力する。なお、ＳＯＬＯ信号はＳＯＬＯバス（図３（ａ）では不図示だが、本ミキサ１２０は、ソロスイッチにより指定されたｃｈの音だけをソロ出力するためのＳＯＬＯバスを備えている）から取り出した信号、２ＴＲ入力信号は２トラックレコーダから入力した信号（図３（ａ）では不図示だが、本ミキサは、２トラックレコーダからの入力信号端子を備えている）を、示す。出力パッチ３１５は、ユーザの指示に応じてこれらの入力信号からモニタすべき信号を選択し、さらにユーザの指示に応じてモニタ出力する出力端子を選択する。選択された信号が、レベル調整用のフェーダ３１７とＤＡＣ１２３Ｂを介して、選択された出力端子から出力され、これにより所望のモニタを実現する。
【００２６】
図４は、出力パッチ３１５の詳細なブロック構成図である。ソースセレクト部４０１には、図３（ａ）で説明した７系統の入力信号が入力する。各入力ライン近傍に記載した数値は、その系統の信号のｃｈ数を示す。ソースセレクト部４０１は、ユーザの操作に応じてどの信号をモニタ出力するかを決定する回路であり、スピーカセレクト部４０２は、ユーザの操作に応じてモニタ出力端子（スピーカ）を選択する回路である。スピーカセレクト部４０２の出力は、モニタレベル調整用のフェーダ４０３（図３（ａ）の３１７）とＤＡ変換器４０４（図３（ａ）の１２３Ｂ）を介して、モニタ出力端子４０５から出力される。本システムでは、モニタ出力は６系統設けてあり、ＤＡ変換器４０４とモニタ出力端子４０５も６個ずつ設けてある。６個のモニタ出力端子４０５は、Ａスピーカペア左（Ａ−Ｌ）、Ａスピーカペア右（Ａ−Ｒ）、Ｂスピーカペア左（Ｂ−Ｌ）、…と呼ぶ。また、Ａ−ＬとＡ−ＲをまとめてＡスピーカペアと呼ぶ。ＢとＣも同様である。さらに、これらのモニタ出力端子は、５．１ｃｈサラウンド信号をモニタする場合には、Ａ−Ｌがサラウンド信号の前側左、Ａ−Ｒが前側右、…というように割り当てられるので、図４の各モニタ出力端子４０５部分に記載したように、［５．１］Ｌ、［５．１］Ｒ、…と呼ぶ場合もある。
【００２７】
ＤＡ変換器４１１，４１２とレベル調整用のボリューム４１３を介してヘッドホン出力端子４１４が設けられている。基本的に、ヘッドホン出力端子４１４には、ソースセレクト部４０１により選択出力されたモニタ対象信号が出力される。
【００２８】
図５は、ミキサ１２０の外部パネル上の一部５００に設けられているスピーカセレクト及びソースセレクト関連の操作子とＬＥＤを示す。Ａ，Ｂ，Ｃの各スイッチ５０１〜５０３がスピーカセレクトスイッチであり、各スイッチの近傍には対応するＬＥＤ５１１〜５１３が設けられている。５．１ｃｈスイッチ５０５、ＤＡＷスイッチ５０６、ステレオ（ＳＴ）スイッチ５０７、ＡＵＸスイッチ５０８、及び、２トラックレコーダ（２ＴＲ）スイッチ５０９がソースセレクトスイッチであり、各スイッチの近傍には対応するＬＥＤ５１５〜５１９が設けられている。その他、ダウンミックススイッチ５０４とＬＥＤ５１４が設けられている。
【００２９】
ソースセレクトスイッチ５０５〜５０９の何れかをオンすると、そのスイッチに対応するＬＥＤ（５１５〜５１９のうちの１つ）が点灯し、その他のＬＥＤ（５１５〜５１９のうちの残り）が消灯し、図４のソースセレクト部４０１は、７系統の入力信号のうち、オンされたスイッチに対応する入力信号のみを選択してスピーカセレクト部４０２に出力する。また、スピーカセレクトスイッチ５０１〜５０３の何れかをオンすると、そのスイッチに対応するＬＥＤ（５１１〜５１３のうちの１つ）が点灯し、その他のＬＥＤ（５１１〜５１３のうちの残り）が消灯し、オンされたスイッチに対応するスピーカペアＡ，Ｂ，Ｃの何れかが選択され、ソースセレクト部４０１から選択出力された信号が選択されたスピーカペアに出力される。なお、図５にはＳＯＬＯ信号を選択するスイッチが示されていないが、本ミキサの各ｃｈ対応の操作子の中にＳＯＬＯスイッチが設けられており、該ＳＯＬＯスイッチをオンすると当該ｃｈの出力がＳＯＬＯ信号としてソースセレクト部４０１により選択出力されるように構成されている。
【００３０】
以上のように、スイッチ５０５〜５０９（及び不図示のＳＯＬＯスイッチ）でモニタする対象のソースを選択し、スイッチ５０１〜５０３でモニタ出力するスピーカペアを選択すると、選択された信号が選択されたスピーカペアから出力されるのが、基本動作である。図４で説明したように、スピーカペアＡ，Ｂ，Ｃのそれぞれは２つの出力系統（ＬとＲ）を持つので、選択したソースがＳＴ，ＡＵＸ，ＳＯＬＯ，２ＴＲ，ＤＡＷ＿ＳＴ，ＤＡＷ＿ＤＭの何れかであれば、その入力信号のＬ側をスピーカペアのＬ側に出力し、入力信号のＲ側をスピーカペアのＲ側に出力する。この場合、当該スピーカペアにモニタ出力されたソースの信号がヘッドホン出力端子４１４にも出力される。
【００３１】
一方、上記の基本動作に対しては幾つかの例外動作がある。以下、例外動作について説明する。
【００３２】
まず、第１の例外動作として、５．１ｃｈスイッチ５１５がオンされた場合を説明する。この場合、モニタ対象としてソースセレクト部４０１から選択出力される５．１ｃｈサラウンド信号は６ｃｈの信号であるので、その時点でスピーカセレクトの状態がＡ，Ｂ，Ｃ何れであっても、全スピーカペアＡ，Ｂ，Ｃを利用してモニタ出力する。すなわち、図４において、入力した５．１ｃｈサラウンド信号ＤＡＷ＿５．１の、前側左の信号はスピーカＡ−Ｌ（［５．１］Ｌ）へ、前側右の信号はスピーカＡ−Ｒ（［５．１］Ｒ）へ、…というようにモニタ出力する。ＬＥＤ５１１〜５１３は全て点灯する。
【００３３】
この状態では、スピーカセレクトスイッチ５０１〜５０３は、スピーカセレクト機能ではなく、サラウンド信号の各ｃｈのミュート指示のスイッチとして機能する。例えば、５．１ｃｈスイッチ５０５がオンされた直後の初期状態は５．１ｃｈサラウンドの６ｃｈの信号が図４に示した割り当てでスピーカペアＡ，Ｂ，Ｃの各スピーカから出力されＬＥＤ５１１〜５１３が全て点灯されるが、この初期状態からＡスイッチ５０１を１回オンすると、スピーカペアＡのＬ側（［５．１］Ｌ）のみ出力される状態（Ｒ側はミュートされる）となり、ＬＥＤ５１１は早い点滅（周期が短い点滅）を繰り返す状態となる。次にＡスイッチ５０１を１回オンすると、スピーカペアＡのＲ側（［５．１］Ｒ）のみ出力される状態（Ｌ側はミュートされる）となり、ＬＥＤ５１１は遅い点滅を繰り返す状態となる。次にＡスイッチ５０１を１回オンすると、スピーカペアＡはＬＲ共にミュートされ、ＬＥＤ５１１は消灯する。次にＡスイッチ５０１を１回オンすると、スピーカペアＡのＬＲ共に出力されＬＥＤ５１１が点灯する最初の状態に戻る。このようにして、Ａスイッチ５０１を何回かオンすることにより、スピーカペアＡでモニタしている５．１ｃｈサラウンドの前側左右の信号について、両方を出力したり、一方のみを出力したり、両方ミュートすることが簡単に指示できる。Ｂスイッチ５０２及びＣスイッチ５０３も同様である。どのような順番で信号が出力（ミュート）されるかについては、図８（ｂ）で後述する。
【００３４】
なお、スイッチ５０１〜５０３の操作により５．１ｃｈサラウンドの任意のｃｈをミュートした状態で、再び５．１ｃｈスイッチ５１５をオンすると、ＬＥＤ５１１〜５１３が全て点灯され、５．１ｃｈサラウンド信号の全６ｃｈが出力される初期状態に戻る。また、５．１ｃｈスイッチ５１５がオンされたときには、ヘッドホン出力端子４１４には、（スイッチ５０１〜５０３によるミュートの設定にかかわらず）当該５．１ｃｈサラウンド信号をミックスダウンした信号ＤＡＷ＿ＤＭが出力されるものとする。
【００３５】
第２の例外動作として、ダウンミックススイッチ５０４がオンされた場合を説明する。ダウンミックススイッチ５０４は、５．１ｃｈスイッチ５０５がオンされている状態でのみ有効なスイッチである。ダウンミックススイッチ５０４をオンすると、ソースセレクト部４０１は、ダウンミックス部３１６から出力されるダウンミックス信号ＤＡＷ＿ＤＭを選択出力する。ダウンミックス信号ＤＡＷ＿ＤＭは、５．１ｃｈサラウンド信号ＤＡＷ＿５．１の６ｃｈの信号を２ｃｈのＬＲの信号に纏めたものである。ダウンミックススイッチ５０４をオンすると、その時点におけるスピーカセレクトの状態にかかわらず、強制的にスピーカペアＡが選択され、ダウンミックス信号ＤＡＷ＿ＤＭはスピーカペアＡに出力される。このとき、ＬＥＤ５１１が点灯され、ＬＥＤ５１２，５１３は消灯される。この状態では、スイッチ５０１〜５０３は操作不能（操作しても無意味）となる。
【００３６】
ダウンミックス信号ＤＡＷ＿ＤＭがモニタ出力されている状態で再度ダウンミックススイッチ５０４をオンすると、元の５．１ｃｈサラウンド信号のモニタの状態に戻る。また、ダウンミックス信号ＤＡＷ＿ＤＭがモニタ出力されている状態でソースセレクトスイッチ５０５〜５０９（及び不図示のＳＯＬＯスイッチ）をオンすると、ダウンミックス信号ＤＡＷ＿ＤＭのモニタ出力は停止し、オンされたソースセレクトスイッチに応じた動作に移行する。
【００３７】
第３の例外動作として、５．１ｃｈスイッチ５０５とＳＴスイッチ５０７とが同時にオンされた場合を説明する。この場合、上述した５．１ｃｈサラウンド信号のモニタ出力とステレオ信号のモニタ出力とが混合されて出力される。従って、出力端子Ａ−Ｌには、５．１ｃｈサラウンド信号ＤＡＷ＿５．１の前側左信号とステレオ信号ＳＴの左信号とが混合された信号が出力され、出力端子Ａ−Ｒには、５．１ｃｈサラウンド信号ＤＡＷ＿５．１の前側右信号とステレオ信号ＳＴの右信号とが混合された信号が出力される。ＤＡＷ＿５．１のＣ，ＳＷ，Ｌｓ，Ｒｓはそのまま出力される。
【００３８】
図６（ａ）は、ソース切り替えルーチンの処理手順を示す。この処理は、図５のソースセレクトスイッチ５０５〜５０９（及び不図示のＳＯＬＯスイッチ）の何れかがオンされたときに制御マイコン１２４が実行する。ステップ６０１で、ソースセレクト部４０１における現在のソース選択状態を取得する。ステップ６０２で、現在のソースと新たに選択されたソースが同じか判定する。異なるときは、ステップ６０３で、新たに選択されたソースに再パッチを行う。これは、ソースセレクト部４０１で、新たに選択されたソースの信号を選択出力するように設定する処理である。ステップ６０４では、スピーカ設定の初期化（図６（ｂ））を行う。
【００３９】
図６（ｂ）は、ステップ６０４のスピーカ設定の初期化の処理手順を示す。ステップ６０５で、スピーカセレクト部４０２における現在のスピーカ選択状態を取得する。ステップ６０６及び６０８は操作後のソース（新たに選択されたソース）と操作前のソースの設定に応じた分岐を行う判定処理である。操作後のソースが５．１ｃｈサラウンドであるときは、ステップ６０７で全てのスピーカ（６系統の全モニタ出力端子）を利用して５．１ｃｈサラウンドの音を出すように設定し、ステップ６１１でそのようにスピーカ設定を更新する。操作後のソースが５．１ｃｈサラウンド以外で、操作前のソースが５．１ｃｈサラウンドであるときは、ステップ６０９でスピーカペアＡからのみ音を出すように設定し、ステップ６１１でそのようにスピーカ設定を更新する。操作後のソース及び操作前のソースの何れもが５．１ｃｈサラウンドでないときは、ステップ６１０で現在のスピーカ設定をそのまま使用するものとし、ステップ６１１でスピーカ設定を更新する。
【００４０】
図７（ａ）は、スピーカ切り替えルーチンの処理手順を示す。この処理は、図５のスピーカセレクトスイッチ５０１〜５０３の何れかがオンされたときに制御マイコン１２４が実行する。ステップ７０１で、ソースセレクト部４０１における現在のソース選択状態を取得する。ステップ７０２で現在のソースが５．１ｃｈ以外であるときは、ステップ７０３でスピーカペアの切り替え処理（図７（ｂ））を行う。現在のソースが５．１ｃｈであるときは、ステップ７０４で順番にミュートする処理（図８（ａ））を行う。
【００４１】
図７（ｂ）は、スピーカペアの切り替え処理（ステップ７０３）の手順を示す。ステップ７０５で、現在のスピーカ選択状態を取得する。ステップ７０６で、現在選択されているスピーカペアと新たに指定されたスピーカペアが同じか判定する。同じときはそのまま終了する。異なるときは、ステップ７０７で現在選択されているスピーカペアをミュートし、ステップ７０８で新たに指定されたスピーカペアから音声を出力開始し、ステップ７０９でスピーカ設定を更新する。
【００４２】
図８（ａ）は、順番にミュートする処理（ステップ７０４）の手順を示す。ステップ８０１で、押されたスピーカセレクトスイッチに対応するスピーカペアで現在設定されているモードを取得する。図８（ｂ）に、モードとＬＥＤ表示と出力する信号との対応を示す。５．１ｃｈスイッチ５０５がオンされたときの初期状態は、全スピーカペアＡ，Ｂ，Ｃがモード１に設定され、５．１ｃｈサラウンドの各ｃｈの音声が全て出力される。
【００４３】
ステップ８０２で、当該スピーカペアで次に設定するモードを決定する。モードは、各スピーカペアで独立に設定され、モード１→２→３→４→１→…のように順番に移行するので、ステップ８０２ではこの順番でモードを決定する。ステップ８０３で、決定されたモードに応じて音声を出力するスピーカ（ミュートするスピーカ）を決定する。ステップ８０４では、モードに応じてＬＥＤを点灯／点滅／消灯する。ＬＥＤの表示態様は、図８（ｂ）に示した。ステップ８０６で、モードに応じたスピーカから音声を出力する。
【００４４】
図８（ｂ）から分かるように、５．１ｃｈスイッチ５０５がオンされ全スピーカペアのスピーカから５．１ｃｈサラウンドの音声が出力される初期状態から、スピーカセレクトスイッチ５０１〜５０３を操作するだけで、サラウンド信号の各ｃｈのそれぞれについてモニタ出力するかミュートするかを簡単に決定できる。その状態はＬＥＤ５１１〜５１３の表示を見れば直ぐに分かる。スイッチ５０１〜５０３とＬＥＤ５１１〜５１３は、スピーカセレクト用のものを流用して、サラウンド信号のモニタ出力の場合にだけ別の機能を持たせているので、操作子やＬＥＤを増やすことなく、サラウンド信号の各ｃｈのモニタ出力の操作が可能である。
【００４５】
図９は、図３（ａ）のダウンミックス部３１６の構成を示すブロック図である。音楽ＬＡＮ１１０の出力ポートＰ１〜Ｐ６経由で受信したＤＡＷ１００からの５．１ｃｈサラウンド信号ＤＡＷ＿５．１は、アッテネータ９０１〜９０４及び加算器９１１〜９１４Ｒにより２ｃｈのダウンミックス信号ＤＡＷ＿ＤＭに纏められる。
【００４６】
図１０は、ダウンミックス処理の手順を示す。この処理は、ダウンミックススイッチ５０４がオンされたとき、制御マイコン１２４により実行される。まずステップ１００１で、ソースセレクト部４０１における現在のソース選択状態を判別する。５．１ｃｈ以外であればそのまま終了する。５．１ｃｈのときは、ステップ１００２でダウンミックス部３１６から出力される信号ＤＡＷ＿ＤＭをスピーカペアＡにミックスし、ステップ１００３でスピーカから音声を出力する。
【００４７】
なお、上記実施形態で、ソースセレクト部４０１やスピーカセレクト部４０２で切り替えを行う際には、ノイズが発生しないように、所定時間をかけて補間して切り替えるものとする。
【００４８】
上記実施形態において、スピーカセレクトスイッチを設けることなく、ソースセレクトスイッチを用いてスピーカペアＡ，Ｂ，Ｃの切り替えを行うようにしてもよい。例えば、ＳＴスイッチ５０７を最初にオンするとスピーカペアＡから出力され、次にオンするとＢに切り替わり、次にオンするとＣに切り替わり、…というようにしてもよい。この場合、５．１ｃｈスイッチ５０５については、最初にオンするとスピーカペアＡ，Ｂ，Ｃから出力され、次にオンすると［５．１］Ｌのみ出力され、次にオンすると［５．１］Ｒのみ出力され、…というように、オンする毎にサラウンド信号中の１ｃｈ分が出力されるようにすればよい。サラウンド信号中の適宜組み合わせたｃｈが出力されるようにしてもよい。
【００４９】
上記実施形態では、５．１ｃｈサラウンドの例で説明したが、本発明は、これ以外のサラウンド（７．１ｃｈなど）にも適用できる。また、スピーカの数も変更して良い。また、上記実施形態では、音楽ＬＡＮから入力した５．１ｃｈサラウンド信号をミキサでモニタする例で説明したが、音楽ＬＡＮから入力する必要はない。ミキサ内でサラウンド信号が生成できる場合は、そのモニタに適用することもできる。
【図面の簡単な説明】
【００５０】
【図１】ミキサとＰＣとを音楽ＬＡＮで接続した実施形態の全体構成図
【図２】ＤＡＷの機能構成の詳細図及びＤＡＷの出力と音楽ＬＡＮの出力ポートとの割り当て表を示す図
【図３】ミキサの詳細な機能構成図及びミキサの出力と音楽ＬＡＮの出力ポートとの割り当て表を示す図
【図４】出力パッチの詳細なブロック構成図
【図５】ミキサのスピーカセレクト及びソースセレクト関連の操作子とＬＥＤを示す図
【図６】ソース切り替えルーチン及びスピーカ設定の初期化処理のフローチャート
【図７】スピーカ切り替えルーチン及びスピーカペアの切り替え処理のフローチャート
【図８】順番にミュートする処理及びモードとＬＥＤ表示と出力する信号との対応を示す図
【図９】ダウンミックス部の構成を示すブロック図
【図１０】ダウンミックス処理のフローチャート
【符号の説明】
【００５１】
１００…パーソナルコンピュータ（ＰＣ）、１０１…ディジタルオーディオワークステーションソフトウエア、１０２…グラフィカルユーザインタフェース（ＧＵＩ）、１０３…ＭＩＤＩトラック＆ＭＩＤＩミキサ制御部、１０４…リモート制御部、１０５…オーディオトラック＆オーディオミキサ制御部、１０６…オペレーティングシステム（ＯＳ）のアプリケーションインタフェース（ＡＰＩ）、１０７…各種音楽Ｉ／Ｏドライバ、１０８…各種音楽Ｉ／Ｏ（音楽ＬＡＮ  Ｉ／Ｏを含む）インタフェース、１１０…音楽ＬＡＮ、１２０…ネットワークミキサ、１２１…アナログ／ディジタル変換器（ＡＤＣ）、１２２…オーディオミキサ、１２３…ディジタルアナログ変換器（ＤＡＣ）、１２４…制御マイコン、１２５…ユーザインタフェース（ＵＩ）、１２６…ＭＩＤＩ  Ｉ／Ｏ、１２７…音楽ＬＡＮ  Ｉ／Ｏ。
【図１】
0005327505.tif 000002
【図２】
0005327505.tif 000003
【図３】
0005327505.tif 000004
【図４】
0005327505.tif 000005
【図５】
0005327505.tif 000006
【図６】
0005327505.tif 000007
【図７】
0005327505.tif 000008
【図８】
0005327505.tif 000009
【図９】
0005327505.tif 000010
【図１０】
0005327505.tif 000011